(57)【特許請求の範囲】
【請求項１】
個々のユーザ・コンピュータとネットワークで接続されているサーバ・コンピュータの記憶装置にファイルの形式で記憶されている情報を前記ユーザ・コンピュータ間で共有または公開して利用するにあたり、
前記ファイルに記憶されている情報そのものではなく、当該情報の利用に関するニーズを複数の項目に分類し、前記ユーザ・コンピュータの入力装置を使って、情報ニーズ設定項目として定義し、
この情報ニーズ設定項目に対して、前記入力装置から利用に関する値を入力して、前記ファイル毎に個々の情報ニーズを設定し、該情報ニーズを一括して情報ニーズ表として前記サーバ・コンピュータの記憶装置に記憶し、
該情報ニーズ表を基に、前記情報ニーズ設定項目の内から、任意の1項目を入力装置を使って選択するか、または予め記憶させておいた項目を自動的に選択して、情報利用の視点を決定するビュー項目とし、
該ビュー項目以外の各項目に対応するボタン・クラスと、同各項目のユニークな値に対応する個別ボタンとから構成される操作ボタンを、前記ビュー項目のユニークな値である情報利用の視点毎に個性化または個別化して自動的に生成し、
前記個々のユーザ・コンピュータの表示装置に前記操作ボタンを、前記各ボタン・クラスを並列に配置して表示することを特徴とするコンピュータ処理用操作ボタンの生成方法。
【請求項２】
請求項１に記載の情報ニーズ表を基に、ビュー項目の各ユニークな値である情報利用の視点に関連する情報ニーズ設定項目値を抽出して情報ニーズ・カスタマイズ表を自動的に生成しサーバ・コンピュータの記憶装置に記憶しておき、前記情報ニーズ・カスタマイズ表を表示装置に表示して、個々のユーザが入力装置を使って任意に変更すると、それを基に、当該ユーザの情報利用の視点毎にカスタマイズした操作ボタンをユーザ・コンピュータの表示装置に表示することを特徴とする操作ボタンのカスタマイズ方法。
【発明の詳細な説明】
【０００１】
【発明の属する技術分野】
本発明は、コンピュータに実行させる処理を指示するための操作ボタンを、ネットワークで接続されている各種サーバ・コンピュータの記憶装置にファイルの形式で記憶されている情報に対するユーザの情報ニーズから自動的に生成してユーザ・コンピュータの表示装置に表示させるコンピュータ処理用操作ボタンの生成方法及びユーザが任意に情報ニーズを絞って前記操作ボタンをカスタマイズして表示する操作ボタンのカスタマイズ方法に関する。
【０００２】
【従来の技術】
個々のユーザ・コンピュータとネットワークで接続されている各種サーバ・コンピュータの記憶装置にファイルの形式で記憶されている情報を各ユーザ・コンピュータ間で共有または公開して利用する場合、ファイルを分類し、体系化し階層化して共有フォルダにまとめて前記サーバ・コンピュータの記憶装置に保管しておき、各ユーザは、体系化され、階層化された共有フォルダを辿って、該当するファイルを検索し参照する方法が広く行われている。また、キーワードや自然文を入力して、一致、類似、或いは関連する文字列または文章を含むファイルを検索し参照する方法も必要に応じて行われている。
【０００３】
【発明が解決しようとする課題】
しかしながら、上記従来の方法は、基本的に共通のユーザ・インタフェース、即ち、各ユーザが同じ操作メニューを使って該当するファイルを検索し参照する方法であり、個々のユーザにとっては自分専用のメニューではないため、必ずしも簡単且つ的確な方法とは言えなかった。具体的には、共有フォルダの分類、体系化、階層化等、サーバ・コンピュータの記憶装置におけるファイルの保管方法を予め検討し標準化しておき、各ユーザはその方法に合わせて検索する必要があったり、また個々のユーザにとって自分に直接関係のないファイルが混在して表示されて見づらかったり、或いはキーワードや自然文をその都度入力して検索する必要があった。
【０００４】
しかも、入力したキーワードや自然文が不正確または不適切な場合には、余分なファイルが検索されたり、逆に見つからなかったりする場合も多く、更に、複数の階層や分類に関する項目の順番や視点を自在に切り替えて検索や参照を行うことも難しかった。
一方、ビジネスにおける情報ニーズは、ユーザや業務毎に違う場合が多く、また同じユーザや業務でも状況によって変化する場合もある。更に、同じ情報ニーズに対しても、複数の視点を任意に切り替えたり、視点間の相互関連を見ながら、情報を検索し参照したい場合もある。このように、多様な情報ニーズに合わせて自動的に変化する操作メニューが必要とされる場合が多くなって来ている。
【０００５】
これらに対応するには、それぞれの場合を想定して操作用ソフトを別途開発することも行われている。しかし、操作用ソフトを別途開発するには、ＯＳの機能に関する知識や、マクロやスクリプト、或いはプログラム等による処理手続きの作成が必要であり、コンピュータに詳しくないユーザが直接、短時間かつ簡単に対応できるものではなかった。
【０００６】
また、状況によって情報にアクセス可能なユーザを変更したい場合には、ＯＳのファイル管理やセキュリティ管理の機能を直接使って変更するか、或いは操作用ソフトの機能として変更の処理手続きを予め作成しておき、その機能を使って変更する必要があった。更に、視点を切り替えて情報を見たい場合には、操作用ソフトの範囲を超えて、視点切り替えの機能を新たに開発するか、別途専用ソフトを探して連結する等の必要があった。
【０００７】
本発明は上記に鑑み、操作用ソフト或いは関連するソフトを別途開発することなく、ユーザがコンピュータに対する処理の指示を、ユーザの情報に対する情報ニーズに基づいて、より短時間かつ簡単に実施することができ、メンテナンスも容易に行うことができるようにしたコンピュータ処理用操作ボタンの生成方法及び該操作ボタンのカスタマイズ方法を提供することを目的とする。
【０００８】
【課題を解決するための手段】
上記目的を達成するため、本発明に係るコンピュータ処理用操作ボタンの生成は、個々のユーザ・コンピュータとネットワークで接続されているサーバ・コンピュータの記憶装置にファイルの形式で記憶されている情報を前記ユーザ・コンピュータ間で共有または公開して利用するにあたり、前記ファイルに記憶されている情報そのものではなく、当該情報の利用に関するニーズを複数の項目に分類し、前記ユーザ・コンピュータの入力装置を使って、情報ニーズ設定項目として定義し、この情報ニーズ設定項目に対して、前記入力装置から利用に関する値を入力して、前記ファイル毎に個々の情報ニーズを設定し、該情報ニーズを一括して情報ニーズ表として前記サーバ・コンピュータの記憶装置に記憶し、該情報ニーズ表を基に、前記情報ニーズ設定項目の内から、任意の1項目を入力装置を使って選択するか、または予め記憶させておいた項目を自動的に選択して、情報利用の視点を決定するビュー項目とし、該ビュー項目以外の各項目に対応するボタン・クラスと、同各項目のユニークな値に対応する個別ボタンとから構成される操作ボタンを、前記ビュー項目のユニークな値である情報利用の視点毎に個性化または個別化して自動的に生成し、前記個々のユーザ・コンピュータの表示装置に前記操作ボタンを、前記各ボタン・クラスを並列に配置して表示することを特徴とする。
【０００９】
このコンピュータ処理用操作ボタンの生成方法によれば、個々のユーザ・コンピュータとネットワークで接続されているサーバ・コンピュータの記憶装置にファイルの形式で記憶されている情報をユーザ・コンピュータ間で共有または公開し利用する場合、ビュー項目のユニークな値毎に個性化または個別化された操作ボタンを個々のユーザ・コンピュータの表示装置毎に個別に表示し、この操作ボタンを選択することでユーザは実行させる処理を簡単に指示することができる。
【００１０】
ここで、個性化は、パーソナライズ化、即ち、個々のユーザ毎に特化することを意味する。ユーザ名をビュー項目とする個別化である。また、個別化は、インディビデュアライズ化、即ち、ユーザが任意に選択したビュー項目の個々の値毎に特化することを意味する。
また、本発明に係る操作ボタンのカスタマイズ方法は、請求項１に記載の情報ニーズ表を基に、ビュー項目の各ユニークな値である情報利用の視点に関連する情報ニーズ設定項目値を抽出して情報ニーズ・カスタマイズ表を自動的に生成しサーバ・コンピュータの記憶装置に記憶しておき、前記情報ニーズ・カスタマイズ表を表示装置に表示して、個々のユーザが入力装置を使って任意に変更すると、それを基に、当該ユーザの情報利用の視点毎にカスタマイズした操作ボタンをユーザ・コンピュータの表示装置に表示することを特徴とする。
【００１１】
この操作ボタンのカスタマイズ方法によれば、操作ボタンをユーザ・コンピュータの表示装置に表示する場合、ユーザが任意に変更した情報ニーズ・カスタマイズ表を基に、操作ボタンを該ユーザ用にカスタマイズして表示することにより、操作ボタンがコンパクトになり、より簡単に選択できるようになる。
【００１２】
【発明の実施の形態】
以下、本発明の実施の形態について、図面を参照して説明する。
本発明を実施するためのシステムは、図1に示すように、大別すると、パソコンで代表される個々のユーザ・コンピュータ１、情報を共有するサーバ・コンピュータ２、双方のコンピュータ１，２を接続するネットワーク３から構成されている。
【００１３】
ユーザ・コンピュータ１は、操作ボタンや入力催促（プロンプト）等を表示する表示装置としてのディスプレイ４と、このディスプレイ（表示装置）４に表示されている操作ボタンを選択指示したり値を入力したりするキーボード、マウス、タッチパネルまたはペン等の入力装置５と、メモリーやディスク等を備えた記憶装置６と、これらの各装置を制御して操作ボタンの選択指示等に対応する処理を実行するとともに、ネットワーク３と接続して情報を送受信する中央処理装置（コンピュータ）７とから主に構成されている。
【００１４】
一方、情報を共有するサーバ・コンピュータ２は、共有する情報をファイルの形式で記憶するメモリーやディスク等を備えたサーバ記憶装置８と、このサーバ記憶装置８を制御するとともに、ネットワーク３と接続して情報を送受信する中央処理装置（サーバ・コンピュータ）９とから主に構成されている。
ここで、前記サーバ記憶装置８には、図２に示すように、合計７個のファイル形式の情報が記憶されているとともに、これらの各ファイルの名称が一覧式で記憶されているとする。このファイルの名称は、例えば、先頭行から順番に“製造KY9910.doc”、“製造SE9910.doc”、・・・のように個々のファイル毎に設定して記憶したものである。現実の利用では、ファイル数が数千個〜数万個等、多くなる場合も多い。尚、図2に示す例では、ファイルはワープロ（.doc）と表計算（.xls）の専用形式になっているが、標準形式を含めて特に形式は問わないことは勿論である。
【００１５】
また、個々のユーザの内、主に共有情報を管理するユーザ・コンピュータ１では、前記サーバ記憶装置８に記憶されている各ファイルの属性、情報の要旨・内容・用途・利用条件等に対する情報ニーズに関して、複数の項目に分類した情報ニーズ設定項目を入力装置５から入力して定義し、前記ユーザ・コンピュータ１から前記ネットワーク３を経由して、前記サーバ・コンピュータ２のサーバ記憶装置８に記憶させる。この例では、図３に示すように、“ユーザ名”、“題名”、“時期”、“部門名”、“作成者”、“業務名”の６項目を情報ニーズ設定項目の名称として入力し定義した例を示している。
【００１６】
この場合、個々のユーザの内、主に情報を作成し共有情報として提供したいユーザ・コンピュータ１では、この表示装置４に図２に示す“ファイルの名称”と図3に示す情報ニーズ設定項目の名称を入力催促（プロンプト）として表示し、これに対してユーザが、前記入力装置５から対応する値を入力し、ユーザ・コンピュータ１からネットワーク３を経由して、サーバ・コンピュータ２のサーバ記憶装置８に記憶させる。
【００１７】
図４は、図２における先頭のファイル名称“製造KY9910.doc”に対して、図3の情報ニーズ設定項目毎に値（それぞれの名称）を入力した例を示している。即ち、“製造KY9910.doc”というファイルに対する情報ニーズを設定する各項目に対してそれぞれの名称を入力している。尚、ここで、例えば“製造”という文字列を含む名称のファイルの全てに対して、同じ情報ニーズを設定したい場合、“ファイルの名称”に対して“製造*.doc”と入力して、“*”の部分には可変の文字列を対応させることができるようにもする。
【００１８】
図2に示す他のファイルに対しても、同様に“ファイルの名称”と各情報ニーズ設定項目をユーザ・コンピュータ１の表示装置４に表示させて、入力装置５からそれぞれの値を入力して情報ニーズを設定する。ここでは、図2に示す全てのファイルに対して情報ニーズ設定項目の値を入力した例を示す。なお、この例では、入力装置５からそれぞれの値を入力した例を示しているが、例えば“題名”や“作成者”等、ファイルのプロパティ項目として既に値が設定されており、ユーザ・コンピュータ１またはサーバ・コンピュータ２の記憶装置に記憶されている場合には、それらの値を自動的に割り当てるようにしても良い。
【００１９】
図５に示すように、このようにして設定した個別の情報ニーズを一括した情報ニーズ表を作成し、これを前記サーバ記憶装置８に記憶する。
次に、図5に示す情報ニーズ表を基に、ユーザ・コンピュータ１の表示装置４に情報ニーズ設定項目名を一覧表示させて、その内の任意の１項目を入力装置５を使って選択してビュー項目とする。図６は、情報ニーズ設定項目の内の１項目である“ユーザ名”を、入力装置５を使って選択して、ビュー項目とした例を示している。
【００２０】
これにより、ビュー項目として選択した“ユーザ名”（“●”）のユニークな値、即ち、図5に示す情報ニーズ設定項目の“ユーザ名”から“有田”、“桑田”、“佐藤”、“斎藤”、“別府”、“井上”の各ユーザ毎に、個性化した操作ボタンを自動的に生成して、該当するユーザ・コンピュータ１の表示装置４に表示する。個別の生成方法は、次の通りである。
【００２１】
まず、“ユーザ名”が“桑田”の場合を図７の例で説明する。
図5に示す情報ニーズ表を基に、情報ニーズ設定項目の内、ビュー項目以外の項目、即ち、“題名”、“時期”、“部門名”、“作成者”、“業務名”をボタン・クラスに対応させ、“ユーザ名”の“桑田”に関連のある“ファイルの名称”、即ち、“製造KY9910.doc”、“製造SE9910.doc”、“製造SY9910.doc”の3個のファイルに対して、ビュー項目以外の各項目毎にユニークな値を抽出して、それらの値を個別ボタンに対応させて操作ボタンを自動的に生成する。
【００２２】
具体的には、ボタン・クラス“題名”では“情報検索機能”、“操作ボタン機能”、“エージェント機能”を、ボタン・クラス“時期”では“月次”を、以下同様に、“部門名”では“開発部”を、また“作成者”では“桑田”、“佐藤”、“斎藤”を、更には“業務名”では“開発作業”を、それぞれ個別ボタンに対応させている。
【００２３】
図７に示すように、ユーザ・コンピュータ１の表示装置４に各ボタン・クラスを並列に配置して操作ボタンが表示されるので、ユーザ“桑田”は、どのボタン・クラスの個別ボタンでも任意に選択して該当するファイルを検索することができる。例えば、ボタン・クラスの“題名”に属する個別ボタン“エージェント機能”を入力装置５を使って選択すると、図5に示す情報ニーズ表を検索し、“題名”が“エージェント機能”と一致する“ファイルの名称”は“製造SY9910.doc”であることが分かる。同様に、任意のボタン・クラスの個別ボタンを必要に応じて何個でも選択することで、該当するファイルを検索することができる。尚、“ユーザ名”が“佐藤”及び“斎藤”の場合は、図5の情報ニーズ表の“ファイルの名称”に対する“ユーザ名”の設定が“桑田”と全く同じになっているので、“桑田”の場合と同じ操作ボタンが生成される。
【００２４】
次に、“ユーザ名”が“有田”の場合を図8の例で説明する。この場合、“ユーザ名”が“桑田”の場合と同様の方法で操作ボタンを自動的に生成する。即ち、図5に示す情報ニーズ表を基に、“ユーザ名”の“有田”に関連のある“ファイルの名称”、即ち、“製造KY9910.doc”、“製造SE9910.doc”、“製造SY9910.doc”、“製造AH99Q2.xls”、“製造AH99.xls”に対して、ビュー項目以外の各項目毎にユニークな値を抽出して、それらの値を個別ボタンに対応させて操作ボタンを生成する。
【００２５】
図8は、このようにして生成した操作ボタンを該当するユーザ・コンピュータ１の表示装置４に表示した状態を示す。ここで、例えば、ボタン・クラス“業務名”の個別ボタン“開発管理”を入力装置５を使って選択すると、図5に示す情報ニーズ表を検索し、“業務名”が“開発管理”と一致する“ファイルの名称”は“製造AH99Q2.xls”と“製造AH99.xls”の2つということが分かる。
【００２６】
更に、“ユーザ名”が“別府”の場合、図9の例で説明する。この場合も、“ユーザ名”が“桑田”の場合と同様の方法で操作ボタンを自動的に生成する。即ち、図5に示す情報ニーズ表を基に、“ユーザ名”の“別府”に関連のある“ファイルの名称”、即ち、“製造AH99Q2.xls”、“製造AH99.xls”、“販売IK9910.doc”、“事業BK9910.doc”に対して、ビュー項目以外の各項目毎にユニークな値を抽出して、それらの値を個別ボタンに対応させ、操作ボタンを生成する。図９は、このようにして生成した操作ボタンを該当するユーザ・コンピュータ１の表示装置４に表示した状態を示す。
【００２７】
最後に、“ユーザ名”が“井上”の場合も、前記と同様の方法で操作ボタンを自動的に生成して、該当するユーザ・コンピュータ１の表示装置４に表示すると、図１０に示すようになる。
以上のようにして、図7〜図１０で示すように、該当する各ユーザ・コンピュータ１毎に個性化された操作ボタンが自動的に生成されて、各ユーザ・コンピュータ１の表示装置４に表示される。このように個々のユーザにとって、自分に関連のあるファイルの名称、即ち、自分向けの共有情報に特化された操作ボタンが、情報ニーズを基に情報ニーズ設定項目に対応して一覧表示されるので、コンパクトで且つ情報の概要が一目瞭然となり、任意の個別ボタンを選択するだけで、極めて容易に利用したいファイルを検索できるようになる。
【００２８】
尚、操作ボタンを、表示装置４に各ボタン・クラスを並列に配置して表示することで、どのボタン・クラスの個別ボタンからでも、自由な順番で選択したり、また必要な数だけ選択できるようになる。また、個別ボタンを選択する都度、その個別ボタンに関連する他のボタン・クラスの個別ボタンに絞って再表示するようにすれば、情報ニーズ設定項目に関してダイナミックに階層化された操作ボタンとなり、選択指示が一層容易になる。
【００２９】
上記の例では、情報ニーズ設定項目の１項目である“ユーザ名”をビュー項目として選択し、個々のユーザ毎に個性化した操作ボタンを自動的に生成したが、それ以外の任意の項目をビュー項目として選択すれば、同様の方法で該任意の項目のユニークな値毎に個別化した操作ボタンを自動的に生成できることは勿論である。
【００３０】
例えば、図６に示すビュー項目の選択で“業務名”を選択すれば、図１１及び図１２に示すように、“開発作業”や“開発管理”等、個々の業務毎に個別化した操作ボタンを自動的に生成することができる。
このようにして、図５に示す情報ニーズ表を基にして、図６に示すビュー項目の各項目毎に各ユニークな値毎に個別化すると、即ち、“ユーザ名”（個別化数６、以下同じ）、“題名”（７）、“時期”（３）、“部門名”（３）、“作成者”（６）、“業務名”（４）毎に個別化すると、計２９通りの操作ボタンが自動的に生成される。ユーザが実際に使用する場合は、表示装置４に図６に示すビュー項目を表示し、任意に選択した後、選択されたビュー項目の個別値を同様に表示させて任意に選択し、対応する操作ボタンを表示する。尚、ビュー項目の“ユーザ名”を選択した場合は、その個別値は自動的に該ユーザのユーザ名を選択したものとみなして、個別値の選択を不要にする。例えば、コンピュータのユーザが“有田”ならば、自動的に個別値は“有田”を選択したものとみなし、“有田”用の操作ボタンを表示する。
【００３１】
次に、操作ボタンのカスタマイズ表示について説明する。
先ず、図5に示す情報ニーズ表を基に、ビュー項目の各ユニークな値に関連する情報ニーズ設定項目値を抽出して情報ニーズ・カスタマイズ表を自動的に生成し、これをサーバ・コンピュータ２のサーバ記憶装置８に記憶しておく。
図１３は、“ユーザ名”が“有田”に関連する情報ニーズ設定項目値を抽出して自動的に生成した情報ニーズ・カスタマイズ表を該当するユーザ・コンピュータ１の表示装置４に表示した状態を示す。
【００３２】
この情報ニーズ・カスタマイズ表は、操作ボタンのボタン・クラスに対応する情報ニーズ設定項目名と個別ボタンに対応する情報ニーズ設定項目値から成っており、各項目の左端の丸印は、それぞれを情報ニーズとして、ユーザの“有田”が必要としているか否かを示している。“●”は必要、“○”は不要であり、入力装置５を使って任意の項目を選択して、必要と不要を交互に切り替えられるようにする。尚、既定値（デフォルト）は、全て必要（“●”）とする。
【００３３】
次に、図１３に示す情報ニーズ・カスタマイズ表を変更した例を図１４に示す。表示装置４に表示されている情報ニーズ・カスタマイズ表に対して、情報ニーズとして不要の項目、即ち、この例では情報ニーズ設定項目名の“部門名”と“作成者”を、また“題名”の内、同項目値の“開発総合”を、入力装置５を使って選択し、不要（“○”）に切り替えている。尚、情報ニーズ設定項目名を選択すると、“部門名”と“作成者”のように、同項目値が全て連動して切り替えられるようにする。また、変更後の情報ニーズ・カスタマイズ表は、サーバ記憶装置８に再記憶しておく。
【００３４】
図１５は、上記のようにして変更した情報ニーズ・カスタマイズ表を基に、必要（“●”）となっている項目に対応する操作ボタンを該当するユーザ・コンピュータ１の表示装置４に表示した状態を示す。これによってユーザは、自分向けに提供されている共有情報が膨大であり、多様な情報ニーズが混在している場合でも、自分の利用範囲を絞ることによって、コンパクトにカスタマイズした操作ボタンを任意に生成できるようになり、操作は一層容易になる。
【００３５】
【発明の効果】
以上説明したように、本発明によれば、個々のユーザ・コンピュータとネットワークで接続された各種サーバ・コンピュータの記憶装置にファイルの形式で記憶されている情報を各ユーザ・コンピュータ間で共有または公開し利用する場合、情報ニーズ表を基にして、選択したビュー項目のユニークな値毎に個性化または個別化した操作ボタンを自動的に生成できる。これによって、ユーザは操作用ソフト及び関連するソフトを別途開発することなく、任意の視点からコンピュータに対する処理の指示をより短時間に且つ簡単に実施することができる。しかも、ユーザ自身によって情報ニーズの設定を変更できるので、最新の情報ニーズ表を基に、操作ボタンの自動生成処理を再実行させるか、自動更新処理を実行させるだけで、最新の操作ボタンが出来上がり、メンテナンスも容易となる。
【００３６】
また操作ボタンをユーザが任意にカスタマイズして表示させることによって、その時々の情報ニーズに合わせて操作ボタンをコンパクトにし、より簡単に選択できるようになるので、欲しい情報を一層簡単且つ迅速に検索して利用できるようになる。
【図面の簡単な説明】
【図１】本発明を実施するためのシステムの概要を示すブロック図である。
【図２】サーバ記憶装置に記憶されているファイルの名称の一覧表の一例を示す図である。
【図３】入力装置を使って定義されサーバ記憶装置に記憶されている情報ニーズ設定項目の名称の一例を示す図である。
【図４】表示装置に“ファイルの名称”と情報ニーズ設定項目を表示させて、それぞれに値（名称）を入力する一例を示す図である。
【図５】サーバ記憶装置に記憶される情報ニーズ表の一例を示す図である。
【図６】表示装置に情報ニーズ設定項目を表示させて、入力装置を使ってビュー項目を選択する一例を示す図である。
【図７】表示装置に表示した操作ボタンの一例を示す図（“ユーザ名”が“桑田”の場合）である。
【図８】表示装置に表示した操作ボタンの一例を示す図（“ユーザ名”が“有田”の場合）である。
【図９】表示装置に表示した操作ボタンの一例を示す図（“ユーザ名”が“別府”の場合）である。
【図１０】表示装置に表示した操作ボタンの一例を示す図（“ユーザ名”が“井上”の場合）である。
【図１１】表示装置に表示した操作ボタンの一例を示す図（“業務名”が“開発作業”の場合）である。
【図１２】表示装置に表示した操作ボタンの一例を示す図（“業務名”が“開発管理”の場合）である。
【図１３】情報ニーズ・カスタマイズ表の一例を示す図である。
【図１４】変更後の情報ニーズ・カスタマイズ表の一例を示す図である。
【図１５】カスタマイズした操作ボタンを表示装置に表示した一例を示す図である。
【符号の説明】
１  ユーザ・コンピュータ
２  サーバ・コンピュータ
３  ネットワーク
４  表示装置（ディスプレイ）
５  入力装置
６  記憶装置
７  中央処理装置（コンピュータ）
８  サーバ記憶装置
９  中央処理装置（サーバ・コンピュータ）
【図１】
0003733273.tif 000002
【図２】
0003733273.tif 000003
【図３】
0003733273.tif 000004
【図４】
0003733273.tif 000005
【図５】
0003733273.tif 000006
【図６】
0003733273.tif 000007
【図７】
0003733273.tif 000008
【図８】
0003733273.tif 000009
【図９】
0003733273.tif 000010
【図１０】
0003733273.tif 000011
【図１１】
0003733273.tif 000012
【図１２】
0003733273.tif 000013
【図１３】
0003733273.tif 000014
【図１４】
0003733273.tif 000015
【図１５】
0003733273.tif 000016